(57)【要約】      （修正有）【課題】情報の保全性を高める。【解決手段】情報処理装置１０７は、主表示部１００を有する主筐体１０１と、副表示部１０２を有するとともに主筐体１０１に開閉可能に連結された副筐体１０３と、副筐体１０３の開閉状態を検出する検出手段１０４と、検出手段１０４の検出結果に基づいて主表示部１００と副表示部１０２とが同時閲覧可能状態にあるか否かを判定する判定手段１０５と、判定手段１０５によって同時閲覧可能状態が判定された場合に主表示部１００に情報の実体を含まない主表示情報を表示させるとともに副表示部１０２に主表示情報に関連し且つ情報の実体を含まない副表示情報を表示させる制御手段１０６とを備える。主表示部と副表示部に表示される主表示情報と副表示情報は、情報の実体を含まないので、第三者に盗み見られても何ら支障がなく、情報の保全性を阻害しない。【選択図】図１０
2014150315.tif 000002
【特許請求の範囲】
【請求項１】
主表示部を有する主筐体と、
副表示部を有するとともに前記主筐体に開閉可能に連結された副筐体と、
前記副筐体の開閉状態を検出する検出手段と、
前記検出手段の検出結果に基づいて前記主表示部と前記副表示部とが同時閲覧可能状態にあるか否かを判定する判定手段と、
前記判定手段によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御手段と
を備えたことを特徴とする情報処理装置。
【請求項２】
前記主表示情報はメールフォルダの情報であり、前記副表示情報はメールタイトルの情報であることを特徴とする請求項１に記載の情報処理装置。
【請求項３】
前記主表示情報はメモフォルダの情報であり、前記副表示情報はメモタイトルの情報であることを特徴とする請求項１に記載の情報処理装置。
【請求項４】
前記主表示情報は画像フォルダの情報であり、前記副表示情報は画像タイトルの情報であることを特徴とする請求項１に記載の情報処理装置。
【請求項５】
さらに、ユーザの操作入力を受け付ける第１の操作入力受付手段を備え、
前記制御手段は、前記第１の操作入力受付手段によってユーザの操作入力が受け付けられた場合に前記主表示部に前記情報の実体を表示させる
ことを特徴とする請求項１乃至４いずれか一項に記載の情報処理装置。
【請求項６】
さらに、ユーザの操作入力を受け付ける第２の操作入力受付手段を備え、
前記制御手段は、前記第２の操作入力受付手段によってユーザの操作入力が受け付けられた場合に前記主表示情報を表示させる
ことを特徴とする請求項１乃至５いずれか一項に記載の情報処理装置。
【請求項７】
主筐体に開閉可能に連結された副筐体の開閉状態を検出する検出工程と、
前記検出工程の検出結果に基づいて前記主筐体に備えられた主表示部と前記副筐体に備えられた副表示部とが同時閲覧可能状態にあるか否かを判定する判定工程と、
前記判定工程によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御工程と
を含むことを特徴とする、情報処理装置の制御方法。
【請求項８】
コンピュータを、
主筐体に開閉可能に連結された副筐体の開閉状態を検出する検出手段、
前記検出手段の検出結果に基づいて前記主筐体に備えられた主表示部と前記副筐体に備えられた副表示部とが同時閲覧可能状態にあるか否かを判定する判定手段、
前記判定手段によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御手段
として機能させることを特徴とするプログラム。
【発明の詳細な説明】
【技術分野】
【０００１】
本発明は、情報処理装置、その制御方法及びプログラムに関し、詳しくは、複数の表示部を備えた情報処理装置、その制御方法及びプログラムに関する。
【背景技術】
【０００２】
複数の表示部を備えた情報処理装置、すなわち、同時に閲覧可能な少なくとも二つの表示部を備えた情報処理装置が知られている。その実例の一つは、本のように閉じたり開いたりできるように連結された二つの筐体のそれぞれに表示部を備えた携帯電話機である。たとえば、下記の特許文献１には、開閉可能に連結された二つの筐体の一方に一の表示部（以下、主表示部という）を備えると共に、他方に二の表示部（以下、副表示部という）を備えた移動体通信装置が記載されている。
【０００３】
この移動体通信装置では、ユーザは、筐体を本のように開いたときに、主表示部と副表示部の表示画面を同時閲覧することができるようになっており、この同時閲覧中においては、主表示部の表示情報（以下、主表示情報という）に関連した表示情報（以下、副表示情報という）を副表示部に表示するようになっている。主表示情報は、たとえば、メールの一覧情報であり、副表示情報はそのメールの一覧で選択されているメールの内容である。
【０００４】
この移動体通信装置によれば、筐体を開くだけで、主表示部に表示されたメール一覧と、副表示部に表示されたメールの内容とを同時に見ることができ、操作の手間を省いて利便性を高めることができる。
【０００５】
また、下記の特許文献２にも類似の技術が記載されている。この技術は、メールフォルダの一覧とメールフォルダ内の電子メールの一覧とを別々の画面（ウインドウ）に表示するというものであり、メールフォルダの一覧が特許文献１の主表示情報に相当し、メールフォルダ内の電子メールの一覧が特許文献１の副表示情報に相当する。
【先行技術文献】
【特許文献】
【０００６】
【特許文献１】再公表ＷＯ２００３／０７７０９７号公報
【特許文献２】特開平５−１１０５９３号公報
【発明の概要】
【発明が解決しようとする課題】
【０００７】
しかしながら、前記の移動体通信装置は、操作の手間を省いて利便性を高めることができるという利点が得られるものの、情報の保全性の点で改善すべき余地がある。
【０００８】
これは、筐体を開くだけで、副表示部にメールの内容を表示する仕組みになっているからであり、たとえば、通勤電車などの混雑した場所で筐体を開いたときに、保全性を要する情報（メールの内容）が思わず表示されてしまい、第三者に盗み見られてしまう恐れがあるからである。
【０００９】
保全性を要する情報とは、プライベートな内容を含む情報や業務上の秘密を含む情報などのことをいうが、これに限定されない。第三者に見られては困る情報または第三者に積極的に見せたくない情報であればよい。保全性を要する情報はメールに限らない。情報処理装置内に保存されているあらゆる情報が対象になる。たとえば、電話帳のデータ、メモ帳のデータ、カレンダーの予定データまたは画像データなどであってもよい。
【００１０】
そこで、本発明の目的は、情報の保全性を高めた情報処理装置、その制御方法及びプログラムを提供することにある。
【課題を解決するための手段】
【００１１】
本発明の情報処理装置は、主表示部を有する主筐体と、副表示部を有するとともに前記主筐体に開閉可能に連結された副筐体と、前記副筐体の開閉状態を検出する検出手段と、前記検出手段の検出結果に基づいて前記主表示部と前記副表示部とが同時閲覧可能状態にあるか否かを判定する判定手段と、前記判定手段によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御手段とを備えたことを特徴とする。
本発明の情報処理装置の制御方法は、主筐体に開閉可能に連結された副筐体の開閉状態を検出する検出工程と、前記検出工程の検出結果に基づいて前記主筐体に備えられた主表示部と前記副筐体に備えられた副表示部とが同時閲覧可能状態にあるか否かを判定する判定工程と、前記判定工程によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御工程とを含むことを特徴とする。
本発明のプログラムは、コンピュータを、主筐体に開閉可能に連結された副筐体の開閉状態を検出する検出手段、前記検出手段の検出結果に基づいて前記主筐体に備えられた主表示部と前記副筐体に備えられた副表示部とが同時閲覧可能状態にあるか否かを判定する判定手段、前記判定手段によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御手段として機能させることを特徴とする。
【発明の効果】
【００１２】
本発明によれば、情報の保全性を高めた情報処理装置、その制御方法及びプログラムを提供することができる。
【図面の簡単な説明】
【００１３】
【図１】携帯電話機１の外観図である。
【図２】携帯電話機１の構成図である。
【図３】記憶部１５に記憶保存されているユーザデータの一例を示す構造模式図である。
【図４】実施形態における制御プログラムの動作フローを示す図である。
【図５】２画面メール表示処理、２画面メモ表示処理及び２画面画像表示処理のサブルーチンフローを示す図である。
【図６】２画面メール表示処理の表示例を示す図である。
【図７】２画面メモ表示処理の表示例を示す図である。
【図８】２画面画像表示処理の表示例を示す図である。
【図９】戻るボタン（物理ボタン８）が押されたときの動作フローを示す図である。
【図１０】付記１の構成図である。
【発明を実施するための形態】
【００１４】
以下、本発明の実施形態を、携帯電話機への適用を例にして、図面を参照しながら説明する。
まず、構成を説明する。
図１は、携帯電話機１の外観図である。図において、情報処理装置としての携帯電話機１は、ヒンジ軸２を中心にして開閉可能に連結された二つの筐体（以下、主筐体３と副筐体４）を有する。
【００１５】
主筐体３の主面（操作対象の面）には、スピーカ５と、複数の物理ボタン（ここでは３個の物理ボタン６〜８）と、マイク９と、タッチパネル付きの主表示部１０とが設けられており、また、副筐体４の主面（操作対象の面）にはタッチパネル付きの副表示部１１が設けられている。物理ボタン６〜８の役割は、たとえば、左の物理ボタン６がメニュー画面の表示用、中央の物理ボタン７がホーム画面と呼ばれる特定画面への復帰用、右の物理ボタン８が直前画面への復帰用である。
【００１６】
上記のとおり、副筐体４は、ヒンジ軸２によって開閉可能に主筐体３に連結されており、この副筐体４を開閉することによって図示の二つの状態をとることができるようになっている。（ａ）は主筐体３の背面に副筐体４が隠れている状態を示し、この状態のことを「閉状態」ということにする。（ｃ）は主筐体３の主面と副筐体４の主面が共に前方（一人のユーザの方向）を向いている状態を示し、この状態のことを「開状態」または「同時閲覧可能状態」ということにする。同時閲覧可能状態とは、一人のユーザが主表示部１０と副表示部１１とを同時に閲覧する（表示情報を視認する）ことができる状態のことをいう。（ｂ）は閉状態から開状態への遷移途中の状態を示す。
【００１７】
なお、（ｃ）では主筐体３と副筐体４とを同一平面上に並べているが、これは「開状態」の典型例を示しているに過ぎない。主表示部１０と副表示部１１が一人のユーザによって共に閲覧可能な状態（同時閲覧可能状態）にあればよく、たとえば、（ｃ）に破線で示すように、主筐体３と副筐体４の主面側の開き角度αが１８０度よりも小さい任意の値になっていてもよい。この角度αの限界値は、主表示部１０と副表示部１１の視野角（一般的に表示画面の正対方向を０度としたときにコントラスト比が１０：１になる角度）に依存する。
【００１８】
図２は、携帯電話機１の構成図である。携帯電話機１は、少なくとも、無線通信部１２、音声処理部１３、操作部１４、タッチパネル付きの主表示部１０、タッチパネル付きの副表示部１１、記憶部１５、開閉検出部１６、電源部１７及び中央制御部１８を備える。
【００１９】
無線通信部１２は、中央制御部１８からの制御により、アンテナ１２ａを介して最寄りの携帯電話基地局（図示略）との間で所定周波数帯域及び所定変調方式の無線によるデジタルデータの送受信を行う。このデジタルデータには、電話の着呼や発呼の情報および音声通話の情報が含まれるほか、電子メールの送受信情報や、各種インターネットコンテンツの閲覧情報ならびに所要のネットワークサービスのサービス情報などが含まれる。
【００２０】
音声処理部１３は、中央制御部１８からの制御により、マイク９で拾った音声信号をデジタルデータに変換して中央制御部１８に出力したり、中央制御部１８から出力されたデジタルの音声信号をアナログ信号に変換してスピーカ５から出力（拡声）したりする。
【００２１】
操作部１４は、図１の３つの物理ボタン６〜８を含むユーザインターフェース用の入力手段であり、３つの物理ボタン６〜８に対するユーザ操作に応答して、それらの操作に対応した入力信号を発生して中央制御部１８に出力する。また、操作部１４は、主表示部１０や副表示部１１に設けられたタッチパネルを含む入力手段としても機能する。操作部１４は、これらのタッチパネルからのタッチ情報に対応した入力信号を発生して中央制御部１８に出力する。
【００２２】
二つの表示部（主表示部１０と副表示部１１）は共に同一仕様または略同一仕様の、たとえば、液晶ディスプレイや有機液晶パネルまたはＥＬパネル若しくは電子ペーパ等の二次元表示デバイスで構成される。これら二つの表示部（主表示部１０と副表示部１１）は、中央制御部１８から適宜に出力される任意の情報を可視化して各々の画面上に表示する。先に説明したとおり、二つの表示部（主表示部１０と副表示部１１）はタッチパネル付きである。
【００２３】
記憶部１５は、不揮発性且つ書き換え可能な情報記憶要素であり、たとえば、フラッシュメモリやシリコンディスクあるいはハードディスクなどを用いることができる。この記憶部１５は様々なユーザデータ、たとえば、メールデータ、メモ帳データ及び画像データなどを記憶保存する。
【００２４】
開閉検出部１６は、中央制御部１８からの要求に応答して副筐体４の開閉状態を検出し、その検出結果を中央制御部１８に返送する。この開閉検出部１６は、たとえば、ヒンジ軸２に組み込まれた機械的スイッチで構成することができるが、これに限定されない。たとえば、副筐体４の動きを検出する三次元加速度センサ等の動きセンサで構成してもよい。この場合、中央制御部１８は、動きセンサからの検出信号に基づいて副筐体４の開閉状態を判定する。
【００２５】
電源部１７は、一次電池または充電可能な二次電池からなるバッテリを含み、このバッテリの電力から携帯電話機１の動作に必要な各種電源電圧を発生して各部に供給する。
【００２６】
中央制御部１８は、コンピュータまたはマイクロコンピュータ（以下、ＣＰＵ）１８ａ、読み出し専用半導体メモリ（以下、ＲＯＭ）１８ｂおよび高速半導体メモリ（以下、ＲＡＭ）１８ｃならびに不図示の周辺回路を含むプログラム制御方式の制御要素である。この中央制御部１８は、あらかじめＲＯＭ１８ｂに格納されている制御プログラムをＲＡＭ１８ｃにロードしてＣＰＵ１８ａで実行することにより、携帯電話機１の全体動作を統括制御する。なお、ＲＯＭ１８ｂは、書き込み型の不揮発性半導体メモリ（ＰＲＯＭやＥＰＲＯＭなど）であってもよい。
【００２７】
次に、作用を説明する。
図３は、記憶部１５に記憶保存されているユーザデータの一例を示す構造模式図である。（ａ）はメールデータ、（ｂ）はメモ帳データ、（ｃ）は画像データを示す。
メールデータ１９はメールデータの階層構造に従い、その上位層に対応するメールフォルダ一覧フィールド１９ａと、その中位層に対応するメールタイトル一覧フィールド１９ｂと、その下位層に対応するメール詳細フィールド１９ｃとを有するレコードを多数配列した構造になっている。同様に、メモ帳データ２０はメモ帳データの階層構造に従い、その上位層に対応するメモフォルダ一覧フィールド２０ａと、その中位層に対応するメモタイトル一覧フィールド２０ｂと、その下位層に対応するメモ詳細フィールド２０ｃとを有するレコードを多数配列した構造になっており、さらに、画像データ２１は画像データの階層構造に従い、その上位層に対応する画像フォルダ一覧フィールド２１ａと、その中位層に対応する画像タイトル一覧フィールド２１ｂと、その下位層に対応する画像データフィールド２１ｃとを有するレコードを多数配列した構造になっている。
【００２８】
メールデータ１９のメールフォルダ一覧フィールド１９ａには、メールフォルダの名前（たとえば、受信メールフォルダや送信メールフォルダ）が格納されており、メールタイトル一覧フィールド１９ｂには、それらのフォルダ（受信メールフォルダや送信メールフォルダ）に格納されているメールのリスト（たとえば、タイトルリスト）が格納されており、さらに、メール詳細フィールド１９ｃには、各々のタイトルに対応したメールの実体（メール本文や添付ファイルを含む情報であり、ここではメール詳細という）が格納されている。なお、メールタイトルＡ〜Ｆは便宜上のメールリストの一例であり、同様にメール詳細Ａ〜Ｆも便宜上のメール実体の一例である。
【００２９】
メモ帳データ２０のメモフォルダ一覧フィールド２０ａには、メモフォルダの名前（たとえば、メモフォルダＡやメモフォルダＢ）が格納されており、メモタイトル一覧フィールド２０ｂには、それらのメモフォルダに格納されているメモのリスト（たとえば、タイトルリスト）が格納されており、さらに、メモ詳細フィールド２０ｃには、各々のタイトルに対応したメモの実体（メモ本文や添付ファイルを含む情報であり、ここではメモ詳細という）が格納されている。なお、メモタイトルＡ〜Ｆは便宜上のメモリストの一例であり、同様にメモ詳細Ａ〜Ｆも便宜上のメモ実体の一例である。
【００３０】
画像データ２１の画像フォルダ一覧フィールド２１ａには、画像フォルダの名前（たとえば、画像フォルダＡや画像フォルダＢ）が格納されており、画像タイトル一覧フィールド２１ｂには、それらの画像フォルダに格納されている画像のリスト（たとえば、ファイル名等のタイトルリスト）が格納されており、さらに、画像データフィールド２１ｃには、各々のタイトルに対応した画像の実体（画像データそれ自体またはその画像データへのリンク情報）が格納されている。なお、画像タイトルＡ〜Ｆは便宜上の画像リストの一例であり、同様に画像データＡ〜Ｆも便宜上の画像実体（またはその画像データへのリンク情報）の一例である。
【００３１】
図４は、実施形態における制御プログラムの動作フローを示す図である。この制御プログラムは中央制御部１８のＣＰＵ１８ａで実行される。したがって、以下の処理の実行主体は中央制御部１８のＣＰＵ１８ａである。この制御プログラムを開始すると、ＣＰＵ１８ａは、まず、開閉検出部１６の検出信号を取り込み（ステップＳ１０）、その検出信号に基づいて副筐体４が「開状態」（同時閲覧可能状態）にあるか否かを判定する（ステップＳ１１）。
【００３２】
副筐体４が「開状態」にない（同時閲覧可能状態にない）と判定された場合、ＣＰＵ１８ａは、主表示部１０を用いた１画面表示処理を実行（ステップＳ１２）してフローを終了する一方、副筐体４が「開状態」（同時閲覧可能状態）にあると判定された場合は、以下の処理を実行する。
【００３３】
ＣＰＵ１８ａは、携帯電話機１の動作モードがメール表示モードであるか否か（ステップＳ１３）、メモ表示モードであるか否か（ステップＳ１４）、画像表示モードであるか否か（ステップＳ１５）を順次に判定する。そして、メール表示モードであると判定された場合は２画面メール表示処理を実行し（ステップＳ１６）、メモ表示モードであると判定された場合は２画面メモ表示処理を実行し（ステップＳ１７）、画像表示モードであると判定された場合は２画面画像表示処理を実行（ステップＳ１８）した後、フローを終了する。または、メール表示モード、メモ表示モード及び画像表示モードのいずれも判定されなかった場合は、その他の２画面表示処理（メール表示やメモ表示または画像表示以外の任意情報の２画面表示処理）を実行（ステップＳ１９）した後、フローを終了する。
【００３４】
図５は、２画面メール表示処理、２画面メモ表示処理及び２画面画像表示処理のサブルーチンフローを示す図である。これらのサブルーチンフローの実行主体も中央制御部１８のＣＰＵ１８ａである。
（ａ）に示す２画面メール表示処理では、ＣＰＵ１８ａは、主表示部１０にメールフォルダ一覧（メールデータ１９のメールフォルダ一覧フィールド１９ａの情報）を表示（ステップＳ１６ａ）するとともに、副表示部１１にメールタイトル一覧（メールデータ１９のメールタイトル一覧フィールド１９ｂの情報）を表示（ステップＳ１６ｂ）した後、図４のフローに復帰する。
（ｂ）に示す２画面メモ表示処理では、ＣＰＵ１８ａは、主表示部１０にメモフォルダ一覧（メモデータ２０のメモフォルダ一覧フィールド２０ａの情報）を表示（ステップＳ１７ａ）するとともに、副表示部１１にメモタイトル一覧（メモデータ２０のメモタイトル一覧フィールド２０ｂの情報）を表示（ステップＳ１７ｂ）した後、図４のフローに復帰する。
（ｃ）に示す２画面画像表示処理では、ＣＰＵ１８ａは、主表示部１０に画像フォルダ一覧（画像データ２１の画像フォルダ一覧フィールド２１ａの情報）を表示（ステップＳ１８ａ）するとともに、副表示部１１に画像タイトル一覧（画像データ２１の画像タイトル一覧フィールド２１ｂの情報）を表示（ステップＳ１８ｂ）した後、図４のフローに復帰する。
【００３５】
図６は、２画面メール表示処理の表示例を示す図である。（ａ）において、主筐体３の主表示部１０には、メールデータ１９のメールフォルダ一覧フィールド１９ａの情報（フォルダ名：受信メールフォルダや送信メールフォルダ）が表示されている。黒く塗りつぶされたフォルダ名（図では受信メールフォルダ）は初期選択中のフォルダ名である。一方、副筐体４の副表示部１１には、メールデータ１９のメールタイトル一覧フィールド１９ｂの情報が表示されており、この表示情報は、主表示部１０で選択中のフォルダに対応する情報である。たとえば、主表示部１０で現在選択中のフォルダは「受信メールフォルダ」であるので、副表示部１１には、メールデータ１９のメールタイトル一覧フィールド１９ｂの情報のうち、この「受信メールフォルダ」に対応した情報である「メールタイトルＡ」と「メールタイトルＢ」及び「メールタイトルＣ」が表示される。
【００３６】
任意のメールを読みたい場合、ユーザは、副表示部１１に表示されているメールタイトル一覧の中から希望のタイトルを選択する。この選択は、副表示部１１のタッチパネル（第１の操作入力受付手段）へのタッチ操作で行ってもよい。ＣＰＵ１８ａは、この選択に応答して、メールデータ１９のメール詳細フィールド１９ｃから該当するメールの実体（メール本文や添付ファイルを含む情報）を読み出し、（ｂ）に示すように、そのメールの実体を主筐体３の主表示部１０に表示する。（ｂ）から（ａ）への復帰は、たとえば、戻るボタン（物理ボタン８：第２の操作入力受付手段）の操作に応答して行ってもよい。つまり、ＣＰＵ１８ａは、（ｂ）の表示を行っている際に、戻るボタン（物理ボタン８）が押された場合は、（ｂ）の表示から（ａ）の表示に戻すようにしてもよい。
【００３７】
図７は、２画面メモ表示処理の表示例を示す図である。（ａ）において、主筐体３の主表示部１０には、メモデータ２０のメモフォルダ一覧フィールド２０ａの情報（フォルダ名：メモフォルダＡやメモフォルダＢ）が表示されている。黒く塗りつぶされたフォルダ名（図ではメモフォルダＡ）は初期選択中のフォルダ名である。一方、副筐体４の副表示部１１には、メモデータ２０のメモタイトル一覧フィールド２０ｂの情報が表示されており、この表示情報は、主表示部１０で選択中のフォルダに対応する情報である。たとえば、主表示部１０で現在選択中のフォルダは「メモフォルダＡ」であるので、副表示部１１には、メモデータ２０のメモタイトル一覧フィールド２０ｂの情報のうち、この「メモフォルダＡ」に対応した情報である「メモタイトルＡ」と「メモタイトルＢ」及び「メモタイトルＣ」が表示される。
【００３８】
任意のメモを読みたい場合、ユーザは、副表示部１１に表示されているメモタイトル一覧の中から希望のタイトルを選択する。この選択は、副表示部１１のタッチパネル（第１の操作入力受付手段）へのタッチ操作で行ってもよい。ＣＰＵ１８ａは、この選択に応答して、メモデータ２０のメモ詳細フィールド２０ｃから該当するメモの実体（メモ本文や添付ファイルを含む情報）を読み出し、（ｂ）に示すように、そのメモの実体を主筐体３の主表示部１０に表示する。（ｂ）から（ａ）への復帰は、たとえば、戻るボタン（物理ボタン８：第２の操作入力受付手段）の操作に応答して行ってもよい。つまり、ＣＰＵ１８ａは、（ｂ）の表示を行っている際に、戻るボタン（物理ボタン８）が押された場合は、（ｂ）の表示から（ａ）の表示に戻すようにしてもよい。
【００３９】
図８は、２画面画像表示処理の表示例を示す図である。（ａ）において、主筐体３の主表示部１０には、画像データ２１の画像フォルダ一覧フィールド２１ａの情報（フォルダ名：画像フォルダＡや画像フォルダＢ）が表示されている。黒く塗りつぶされたフォルダ名（図では画像フォルダＡ）は初期選択中のフォルダ名である。一方、副筐体４の副表示部１１には、画像データ２１の画像タイトル一覧フィールド２１ｂの情報が表示されており、この表示情報は、主表示部１０で選択中のフォルダに対応する情報である。たとえば、主表示部１０で現在選択中のフォルダは「画像フォルダＡ」であるので、副表示部１１には、画像データ２１の画像タイトル一覧フィールド２１ｂの情報のうち、この「画像フォルダＡ」に対応した情報である「画像タイトルＡ」と「画像タイトルＢ」及び「画像タイトルＣ」が表示される。
【００４０】
任意の画像を見たい場合、ユーザは、副表示部１１に表示されている画像タイトル一覧の中から希望のタイトルを選択する。この選択は、副表示部１１のタッチパネル（第１の操作入力受付手段）へのタッチ操作で行ってもよい。ＣＰＵ１８ａは、この選択に応答して、画像データ２１の画像データフィールド２１ｃから該当する画像の実体を読み出し、または、画像データフィールド２１ｃに画像データへのリンク情報が格納されていた場合には、そのリンク先から画像の実体を読み出し、（ｂ）に示すように、その画像の実体を主筐体３の主表示部１０に表示する。（ｂ）から（ａ）への復帰は、たとえば、戻るボタン（物理ボタン８：第２の操作入力受付手段）の操作に応答して行ってもよい。つまり、ＣＰＵ１８ａは、（ｂ）の表示を行っている際に、戻るボタン（物理ボタン８）が押された場合は、（ｂ）の表示から（ａ）の表示に戻すようにしてもよい。
【００４１】
図９は、戻るボタン（物理ボタン８）が押されたときの動作フローを示す図である。このフローの実行主体も中央制御部１８のＣＰＵ１８ａである。
ＣＰＵ１８ａは、携帯電話機１の動作モードがメール表示モードであるか否か（ステップＳ２０）、メモ表示モードであるか否か（ステップＳ２１）、画像表示モードであるか否か（ステップＳ２２）を順次に判定する。そして、メール表示モードであると判定された場合は主表示部１１にメールフォルダ一覧を表示して図６（ａ）の表示に復帰させ（ステップＳ２３）、メモ表示モードであると判定された場合は主表示部１１にメモフォルダ一覧を表示して図７（ａ）の表示に復帰させ（ステップＳ２４）、画像表示モードであると判定された場合は主表示部１１に画像フォルダ一覧を表示して図８（ａ）の表示に復帰させ（ステップＳ２５）た後、フローを終了する。または、メール表示モード、メモ表示モード及び画像表示モードのいずれも判定されなかった場合は、その他の復帰処理を実行（ステップＳ２６）した後、フローを終了する。
【００４２】
以上のとおり、実施形態では、副筐体４が開状態にあることを検出すると、携帯電話機１の動作モードを判定し、その動作モードがメール表示モードである場合には、主表示部１０にメールフォルダ一覧を表示するとともに、副表示部１１にメールタイトル一覧を表示し、または、その動作モードがメモ表示モードである場合には、主表示部１０にメモフォルダ一覧を表示するとともに、副表示部１１にメモタイトル一覧を表示し、あるいは、その動作モードが画像表示モードである場合には、主表示部１０に画像フォルダ一覧を表示するとともに、副表示部１１に画像タイトル一覧を表示する。
【００４３】
各動作モードにおける主表示部１０の表示情報（主表示情報）は、メールフォルダ一覧、メモフォルダ一覧、または、画像フォルダ一覧であり、これらの表示情報は、図３におけるメールデータ１９のメールフォルダ一覧フィールド１９ａの情報、メモデータ２０のメモフォルダ一覧フィールド２０ａの情報、または、画像データ２１の画像フォルダ一覧フィールド２１ａの情報である。つまり、主表示情報は各データの上位層の情報である。
【００４４】
一方、各動作モードにおける副表示部１１の表示情報（副表示情報）は、メールタイトル一覧、メモタイトル一覧、または、画像タイトル一覧であり、これらの表示情報は、図３におけるメールデータ１９のメールタイトル一覧フィールド１９ｂの情報、メモデータ２０のメモタイトル一覧フィールド２０ｂの情報、または、画像データ２１の画像タイトル一覧フィールド２１ｂの情報である。つまり、副表示情報は各データの中位層の情報である。
【００４５】
各データの上位層の情報（主表示情報）や中位層の情報（副表示情報）は「情報の実体」（メール本文やメモ本文または画像データ）を含まない情報である。  
【００４６】
「情報の実体」とは、フォルダ情報やタイトル情報などのような情報管理のための付加的な情報以外の情報であって、それ自体で特定の意味をなす情報または情報の集まりのことをいう。
【００４７】
「情報の実体」は各データの下位層、すなわち、メールデータ１９のメール詳細フィールド１９ｃ、メモデータ２０のメモ詳細フィールド２０ｃ、または、画像データ２１の画像データフィールド２１ｃに含まれる。
【００４８】
第三者に対する保全性は「情報の実体」に対して考慮すればよい。一般的に第三者に見られては困る事項または積極的に見せたくない事項はメール本文やメモ本文など（つまり「情報の実体」）にしばしば存在するからである。また、画像データ（つまり「情報の実体」）も第三者に見られては困る人物等がしばしば映り込んでいるからである。
【００４９】
したがって、実施形態によれば、副筐体４が開状態になったときには、主表示部１０と副表示部１１に「情報の実体」以外の情報（主表示情報や副表示情報）を表示するから、第三者に見られても何ら支障がなく、情報の保全性を得ることができるという特有の効果を奏することができる。
【００５０】
この効果は、たとえば、冒頭で説明した移動体通信装置の技術（特許文献１に記載の技術）と比べると明らかである。冒頭の移動体通信装置では、筐体を開くと主表示部にメール一覧を表示するとともに、副表示部にメールの内容を表示しているが、「メールの内容」は、すなわち「情報の実体」であるから、冒頭の移動体通信装置にあっては、「情報の実体」を第三者に盗み見られてしまう事態を否定できない。
【００５１】
実施形態では、筐体を開いても、直ちには「メールの内容」（情報の実体）を表示しない。したがって、かかる事態（第三者に盗み見られてしまう）はまったく起こり得ず、上記のとおり、情報の保全性を得ることができる。
【００５２】
また、実施形態では、メール表示モードにおいて、メールの内容をすぐに開かないので、たとえば、ウィルス感染などの被害を被る心配もない。
【００５３】
なお、実施形態では、保全対象の情報としてメールデータやメモ帳データまたは画像データを例としたが、これらはあくまでも一例であって、他のデータであっても当然かまわない。要は、第三者に見られては困るデータまたは積極的に見せたくないデータであればよく、たとえば、電話帳やアドレス帳のデータ、予定表のデータ、住所録のデータ、インターネット閲覧ソフト等のお気に入りのデータ、ワープロやテキストエディタ等の文章作成ソフトの作成データなどであってもよい。
【００５４】
また、実施形態の思想は、携帯電話機への適用のみに限定されない。情報の保全性が求められる情報処理装置一般であればよく、たとえば、スマートフォン、ゲーム機、タブレットＰＣ（Personal Computer）、ノートＰＣ、ＰＤＡ（Personal Data Assistants：携帯情報端末）または業務用通信端末などにも適用することができる。
【００５５】
以下、本発明の特徴を付記する。
上記の実施形態の一部又は全部は、以下の付記のようにも記載されうるが、以下には限られない。
（付記１）
図１０は、付記１の構成図である。
付記１は、主表示部１００（実施形態の主表示部１０に相当）を有する主筐体１０１（実施形態の主筐体３に相当）と、
副表示部１１２（実施形態の副表示部１１に相当）を有するとともに前記主筐体１０１に開閉可能に連結された副筐体１０３（実施形態の副筐体４に相当）と、
前記副筐体１０３の開閉状態を検出する検出手段１０４（実施形態の開閉検出部１６に相当）と、
前記検出手段１０４の検出結果に基づいて前記主表示部１００と前記副表示部１１２とが同時閲覧可能状態にあるか否かを判定する判定手段１０５（実施形態の中央制御部１８に相当）と、
前記判定手段１０５によって同時閲覧可能状態が判定された場合に前記主表示部１００に情報の実体を含まない主表示情報を表示させるとともに前記副表示部１１２に当該主表示情報に関連し且つ情報の実体を含まない副表示情報を表示させる制御手段１０６（実施形態の中央制御部１８に相当）と
を備えたことを特徴とする情報処理装置１０７（実施形態の携帯電話機１に相当）である。
付記１によれば、主表示部と副表示部に表示される主表示情報と副表示情報は、情報の実体を含まないので、第三者に盗み見られても何ら支障がなく、情報の保全性を阻害しない。したがって、情報の保全性を高めた情報処理装置を提供できる。
（付記２）
付記２は、前記主表示情報はメールフォルダの情報であり、前記副表示情報はメールタイトルの情報であることを特徴とする付記１に記載の情報処理装置である。
付記２によれば、第三者にメールの内容を盗み読まれる心配がない。また、不用意にメールを開く恐れがないため、ウィルス感染などの被害を被る心配もない。
（付記３）
付記３は、前記主表示情報はメモフォルダの情報であり、前記副表示情報はメモタイトルの情報であることを特徴とする付記１に記載の情報処理装置である。
付記３によれば、第三者にメモの内容を盗み読まれる心配がない。
（付記４）
付記４は、前記主表示情報は画像フォルダの情報であり、前記副表示情報は画像タイトルの情報であることを特徴とする付記１に記載の情報処理装置である。
付記４によれば、第三者に画像を盗み見られる心配がない。
（付記５）
付記５は、さらに、ユーザの操作入力を受け付ける第１の操作入力受付手段を備え、
前記制御手段は、前記第１の操作入力受付手段によってユーザの操作入力が受け付けられた場合に前記主表示部に前記情報の実体を表示させる
ことを特徴とする付記１乃至４いずれか一項に記載の情報処理装置である。
付記５によれば、ユーザの意志に基づいてメールの内容を表示することができる。
（付記６）
付記６は、さらに、ユーザの操作入力を受け付ける第２の操作入力受付手段を備え、
前記制御手段は、前記第２の操作入力受付手段によってユーザの操作入力が受け付けられた場合に前記主表示情報を表示させる
ことを特徴とする付記１乃至５いずれか一項に記載の情報処理装置である。
付記６によれば、ユーザの意志に基づいて元の表示態様（主表示情報を表示する態様）に戻すことができる。
（付記７）
付記７は、主筐体に開閉可能に連結された副筐体の開閉状態を検出する検出工程と、
前記検出工程の検出結果に基づいて前記主筐体に備えられた主表示部と前記副筐体に備えられた副表示部とが同時閲覧可能状態にあるか否かを判定する判定工程と、
前記判定工程によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御工程と
を含むことを特徴とする、情報処理装置の制御方法である。
付記７によれば、情報の保全性を高めた情報処理装置の制御方法を提供できる。
（付記８）
付記８は、コンピュータを、
主筐体に開閉可能に連結された副筐体の開閉状態を検出する検出手段、
前記検出手段の検出結果に基づいて前記主筐体に備えられた主表示部と前記副筐体に備えられた副表示部とが同時閲覧可能状態にあるか否かを判定する判定手段、
前記判定手段によって同時閲覧可能状態が判定された場合に前記主表示部に情報の実体を含まない主表示情報を表示させるとともに前記副表示部に当該主表示情報に関連し且つ情報の実体を含まない副表示情報を表示させる制御手段
として機能させることを特徴とするプログラムである。
付記８によれば、情報の保全性を高めたプログラムを提供できる。
【符号の説明】
【００５６】
１  携帯電話機
３  主筐体
４  副筐体
１０  主表示部
１１  副表示部
１６  開閉検出部
１８  中央制御部
１００  主表示部
１０１  主筐体
１０２  副表示部
１０３  副筐体
１０４  検出手段
１０５  判定手段
１０６  制御手段
１０７  情報処理装置
【図１】
2014150315.tif 000003
【図２】
2014150315.tif 000004
【図３】
2014150315.tif 000005
【図４】
2014150315.tif 000006
【図５】
2014150315.tif 000007
【図６】
2014150315.tif 000008
【図７】
2014150315.tif 000009
【図８】
2014150315.tif 000010
【図９】
2014150315.tif 000011
【図１０】
2014150315.tif 000012